(57)【要約】【課題】トンネル工事における一次覆工面に対してこれまで以上により強固に固着可能な止水シートを提供すること。【解決手段】少なくとも、水分を通さないシート材からなる止水層と、当該シート材に対して接着された不職布などの柔軟材からなる緩衝層と、当該柔軟材に配設された複数片のヒレを有してなるトンネル覆工用の止水シートであって、このヒレの各片を前記シート材に点在する舌片状に形成した。【選択図】図1
0003153725.tif 000002
【実用新案登録請求の範囲】
【請求項１】
少なくとも、水分を通さないシート材からなる止水層と、当該シート材に対して接着された不職布などの柔軟材からなる緩衝層と、当該柔軟材に配設された複数片のヒレを有してなるトンネル覆工用の止水シートであって、このヒレの各片を前記シート材に点在する舌片状に形成したことを特徴とする止水シート。
【請求項２】
前記ヒレの各片は、この止水シートが一次覆工面に展着されたとき、トンネルの長さ方向に沿って列を成すように配設されている請求項１の止水シート。
【請求項３】
前記ヒレの各片は、この止水シートが一次覆工面に展着されたとき、トンネルの周方向に沿って列を成すように配設されている請求項１又は２の止水シート。
【請求項４】
前記ヒレの各片がシート材に対して不規則に配設されている請求項１の止水シート。
【考案の詳細な説明】
【技術分野】
【０００１】
本考案は、主としてトンネル工事に用いる止水シートに関し、より詳しくは、いわゆるNATM工法において形成する一次覆工面へ展設して好適な止水シートに関するものである。
【背景技術】
【０００２】
山岳、地下、海底等におけるトンネル建設では、トンネル外側からの滲水を遮断することによってトンネル内壁面を強化して、トンネルの安定性及び耐久性を向上させるため、掘削後の岩盤が緩み始める前に露出した地山面等に対してコンクリート材を吹き付け、そこに鋼製支保工を建て込んでからロックボルト等の係止部材を打設して一次覆工面を形成し、当該面に滲水防止用の止水シートを展設した後、この止水シートを埋め殺しながら更にコンクリートを打設して二次覆工を施すという、すなわち掘る作業と掘っている時又は掘った後にこれが崩落しないよう保護強化する作業とを順次繰り返しながら進めるいわゆるNATM工法が一般的に採用される。
【０００３】
ここでは二次覆工作業に先立ち、あらかじめ止水シートを一次覆工面へ展着しておく必要があるので、そのためには無論この止水シートを一次覆工面に固着しなければならない。
【０００４】
しかし、止水シートを直接一次覆工面に固着するためにたとえばシート材に一つ一つ孔を穿ちながら釘材等により固定すると、該孔からは当然水が滲み出てくるので、滲水防止用の止水シートとして機能しないことは言うまでもない。
【０００５】
この点に関し、シート材に孔を穿つことなく施工できる方法の一つに、その一端側のみシート材へ熱溶着等された柔軟な帯状部材（以下「ヒレ」という。）を利用する方法がある。
【０００６】
これに関しては更に、従来型のヒレが、シート材の裏面側（トンネル壁面側）において、トンネル周方向に沿って配設されていたものであるところ、実際の一次覆工面にはH型鋼をトンネル周方向に沿うように曲げて形成したいわゆる「支保工」がトンネルの長さ方向に間欠的に配列されており、この止水シートを継ぎ足しながら順次延設し展着していく際にヒレの位置が上記支保工と重なる場合には、釘などの固着部材を壁面に打ち込むことができないといった不具合があったことを受け、当該ヒレをトンネルの周方向でなく長さ方向に沿って配列するようにしたトンネル用防水シートを、すでに本出願人において、発明し、出願している（特開2008-63734）。
【０００７】
これによれば、防水シートを一つ手前側の防水シートの上へ大きく後退させてヒレの位置をずらし、この防水シート同士の重なり代を大きくせざるを得ないことから生じたていた止水シート材のムダについての不具合が一切無くなるということは、当該発明で既に明らかにされたとおりである。
【０００８】
更に、斯かる技術思想に加え、本出願人は今般、一次覆工面に対しこれまで以上にこのシート材を強固に固着することを目的として、上述のヒレにつきまったく新たな形状に係る創作をするに到ったものである。
【考案の概要】
【考案が解決しようとする課題】
【０００９】
本考案は、トンネル工事における一次覆工面に対してこれまで以上により強固に固着可能な止水シートを提供することを課題とする。
【課題を解決するための手段】
【００１０】
上記の課題を解決することを目的としてなされた本考案止水シートの構成は、少なくとも、水分を通さないシート材からなる止水層と、当該シート材に対して接着された不職布などの柔軟材からなる緩衝層と、当該柔軟材に配設された複数片のヒレを有してなるトンネル覆工用の止水シートであって、このヒレの各片を前記シート材に点在する舌片状として形成したことを特徴とするものである。
【００１１】
上記の本考案止水シートにおけるヒレの各片は、この止水シートが一次覆工面に展着されたとき、トンネルの長さ方向に沿って列を成すように配設して構成するのが望ましい。
【００１２】
また本考案止水シートにおけるヒレの各片は、さらにこの止水シートが一次覆工面に展着されたとき、トンネルの周方向に沿って列を成すように配設することも可能である。
【００１３】
なお、本考案止水シートにおけるヒレの各片をシート材に対してランダムに配設することもできる。
【考案の効果】
【００１４】
本考案止水シートは、これに備わるヒレの各片が、シート材の大きさに比して小さく形成されており、さらにこれが同シート材の面上において縦横無尽に点在するよう配設されているため、これを不陸な一次覆工面に固着するときに固定箇所の制限を受けることがなく、作業の自由度及び作業効率を高めることができる。
【００１５】
また、本考案において、各ヒレ同士は力学的には互いに独立した関係により一次覆工面に固定されるので、仮に作業中ないし作業後にヒレの一部が一次覆工面から剥離等したとしても、従来型のように他のヒレに作用することがないことから、安定的に止水シートを保持することができる。
【図面の簡単な説明】
【００１６】
【図１】本考案に係る止水シートの一例の要部を示した斜視図
【図２】本願出願人の発明に係るトンネル用防水シートの要部を例示した斜視図
【図３】本考案止水シートを一次覆工面に固着した状態を模式的に例示した側断面図
【考案を実施するための形態】
【００１７】
以下、本考案の実施の形態例を図により、説明する。
【００１８】
図1において、1は本考案に係る止水シートの一例であって、少なくとも、掘削した地山面f0（図3参照）からの滲水を遮断するシート材からなる止水層2と、当該シート材を不陸な一次覆工面f1から保護する不職布からなる緩衝層3の二層からなっている。
【００１９】
本実施例において、止水層2を構成するシート材には一例としてエチレン酢酸ビニル共重合体からなる厚さ0.8mm程度のシート材を適用することにより形成され、一次覆工面f1側の適宜箇所において前記緩衝層3と熱溶着等により貼着され一体化している。
【００２０】
止水層2は、遮水性を備えれば足るから、ゴム・人工皮革その他の素材によって形成することが可能であるが、互いに重ね合わせて延設できるよう電磁熱等によって溶着可能な材質であることが望ましい。
【００２１】
また、本考案止水シート1における技術は、後述するように、止水層2と緩衝層3とを別々にして施工する分離型シートにも適用することが可能である。
【００２２】
したがって、本考案止水シート1については、本実施例に見られるような二層一体化された形態に限られないことは言うまでもない。
【００２３】
なお、図1及び図2において、上下方向はトンネル周方向に、左右方向はトンネル長さ方向に沿うものとする。
【００２４】
上記緩衝層3は、厚さが3〜5mm程度の不織布によって形成されており、止水シート1の一次覆工面f1側へ接着剤等によって貼着され、止水層2と一体化する。
【００２５】
一次覆工面f1は、露出したロックボルトLの鋭利な断面や吹き付けられたコンクリート材C1の凹凸等によりきわめて不陸であるが、当然、不織布は緩衝層3として破損することなくこれに耐え得るものでなければならない。
【００２６】
なお、不織布からなる緩衝層3の厚さについて、これは当然3〜5mmに限定されるものではなく、3mm以下又は5mm以上の設計値に構成することも任意である。
【００２７】
二次覆工作業においては、二次覆工コンクリートを打設してゆく前に、止水シート1を一次覆工面f1に展着・固定する必要があって、当該シート1に固着用の孔などを設けることなく遮水性を維持しながら施工するためにはヒレを用いる方法が有効であることは前述のとおりであり、本実施例においても図1に示すとおり、前記緩衝層3には止水シート1を一次覆工面f1に釘等により固着するための小片からなるヒレ4が位置的に互いに独立した状態に取付けられている。
【００２８】
この小片からなるヒレ4は、前記緩衝層3と同様の不織布により形成されて構わないが、引張・引裂に耐え得る素材であれば織布・合成樹脂・ゴム・皮革その他の素材により形成することは任意であり、特に素材は限定されない。
【００２９】
また、止水層2と緩衝層3を貼着一体化しない分離型シートの場合には、止水層2に対して直接ヒレ4を取り付け、先に一次覆工面f1へ固定された緩衝層3に当該ヒレ4を固着することにより止水層2のシート材を損傷することなく展設してもよい。
【００３０】
本実施例において止水層2と緩衝層3は、止水シート1の左右端域約200mm〜250mmは貼着せずに、分離した構造を有している。
【００３１】
これにより、止水層2を構成するシート材は、その左右端域を重なり代として互いに重畳でき、重ね合わせて又は拝み合わせて溶着することによって、止水シート1をトンネル長さ方向へと延設できる。
【００３２】
本実施例においてヒレ4は、止水シート1同士の重なり代における熱溶着作業の支障とならないように、止水シート1の幅よりもやや短く形成するのが望ましい。
【００３３】
図2に例示するように、先に発明した防水シート10は、帯状のヒレ40をトンネル長さ方向に沿って適宜間隔をおいて取り付けてなるものであった。
【００３４】
このため、実際のトンネル工事において坑口側から止水シート10を延設して行く場合、一次覆工面f1にヒレ40を固着した後に二次覆工用のコンクリートを打設するとき、どうしても流れ込むコンクリートの荷重によってヒレ40が一次覆工面f1から離脱してしまうことがあるが、止水シート10における当該ヒレ40が帯状部材からなるものである以上、一つの固着箇所の離脱が隣接する固着箇所を引っ張ってその負担を増す場合のあることから、総体的に見て一次覆工面に対する固着力の減少が無視できない程度になってしまうことがないか懸念された。
【００３５】
そこで本考案止水シート1においては、図1に例示したように、緩衝層3（又は直接シート材2）に対して、小片からなるヒレ4を縦横無尽さらには不規則に配列し、これを熱溶着等により固定したものであるから、固着箇所同士の独立性を確保することができるようになる。
【００３６】
この結果、作業中に万が一一次覆工面f1からの離脱があったとしても、隣接する他のヒレ4には何の悪影響も及ぼすことなく、固着力を維持することが可能となる。
【００３７】
図1において例示するように、本考案止水シート1は、緩衝層3の一次覆工面f1側へ、トンネル長さ方向と周方向に沿って、不職布小片からなるヒレ4を多数備えている。
【００３８】
このヒレ4は、たとえば上下幅が20〜50cm程度、長さが20〜50cm程度の小片としてなるべく小さく形成されている。
【００３９】
また、ヒレ4を不規則的に配列することによって、あらゆる形状からなる不陸な一次覆工面f1に対しても、自由度の高い固着作業を行うことが可能となる。
【００４０】
この結果、一次覆工面f1に沿って止水シート1を隙間なく確実に張設することができ、二次覆工コンクリートC2の荷重により当該シート１が破損、裂損等することを回避できるとともに、仮に一次覆工面f1からの離脱があった場合でもこれによる悪影響が他の固着箇所に波及することはないので、これによって大きな固着力を得た止水シート1が二次覆工コンクリートC2の荷重によって一次覆工面f1から剥落することはなくなる。
【００４１】
さらに、シート一枚当りの総合固着力を大きく確保できると、当該シート一枚当りのサイズも当然ながら大きく設計することが可能となる。
【００４２】
これによって、トンネル内壁単位面積当たりの溶着箇所は必然的に減じ、現場における作業負担を軽減できるとともに、何よりも重要な点として、止水シート1による遮水性を高いままに維持することができるという顕著な効果を発揮し得る。
【産業上の利用可能性】
【００４３】
本考案は以上の通りであって、ヒレの各片が、シート材の大きさに比して小さく形成されており、さらにこれが同シート材の面上において縦横無尽ないし不規則に点在するよう配設されているため、これを不陸な一次覆工面に固着するときに固定箇所の制限を受けることがなく、作業の自由度及び作業効率を高めることができるとともに、各ヒレ同士は二次覆工コンクリートの荷重による引下力に対して、力学的には互いに独立した関係のまま一次覆工面に固定されることができるので、仮に作業中ないし作業後にヒレの一部が一次覆工面から剥離等したとしても、従来型のように他のヒレにこれが波及することがないことから、安定的に止水シートを保持することができるという効果を有しており、トンネル用の止水シートに適用してきわめて有用である。
【００４４】
１            本考案止水シート
10            従来型防水シート
2，20        シート層
3，30        緩衝層
4，40        ヒレ
5，50        重なり代
６          型枠
7，70      固着部材
Ｌ          ロックボルト
f0          地山面
f1          一次覆工面
f2          二次覆工面
Ｓ          二次覆工用コンクリートの打設スペース
C1          一次覆工用コンクリート
C2          二次覆工用コンクリート
【図１】
0003153725.tif 000003
【図２】
0003153725.tif 000004
【図３】
0003153725.tif 000005